(57)【要約】【課題】ＩＣカード機能のセキュリティ性を確保しつつ、ユーザにとって利便性の高い携帯型電子機器を提供すること。を備えたことを特徴としている。【解決手段】近距離無線通信手段を備えた携帯型電子機器であって、認証対象情報を記憶すると共に、近距離無線通信手段の起動／停止を制御する起動停止制御手段と、近距離無線通信手段を介して外部ＩＣタグから認証情報の読み取りを実行する読取手段と、読取手段にて読み取った認証情報と記憶された認証対象情報とを照合する認証手段と、を備え、起動停止制御手段は、読取手段の作動後に近距離無線通信手段を停止させる停止制御手段を備えた。【選択図】図１
2008112331.tif 000002
【特許請求の範囲】
【請求項１】
近距離無線通信手段を備えた携帯型電子機器であって、
認証対象情報を記憶すると共に、
前記近距離無線通信手段の起動／停止を制御する起動停止制御手段と、
前記近距離無線通信手段を介して外部ＩＣタグから認証情報の読み取りを実行する読取手段と、
前記読取手段にて読み取った前記認証情報と前記記憶された認証対象情報とを照合する認証手段と、を備え、
前記起動停止制御手段は、前記読取手段の作動後に前記近距離無線通信手段を停止させる停止制御手段を備えた、
を備えたことを特徴とする携帯型電子機器。
【請求項２】
前記起動停止制御手段は、前記読取手段の作動前に、前記近距離無線通信手段が停止状態である場合に当該近距離無線通信手段を起動させる起動制御手段を備えた、
ことを特徴とする請求項１記載の携帯型電子機器。
【請求項３】
前記起動制御手段は、携帯型電子機器に対して前記近距離無線通信手段の起動指令が入力されたときに作動する、
ことを特徴とする請求項２記載の携帯型電子機器。
【請求項４】
前記停止制御手段は、前記起動制御手段による前記近距離無線通信手段の起動後の一定時間経過後に作動する、
ことを特徴とする請求項２又は３記載の携帯型電子機器。
【請求項５】
請求項４記載の前記一定時間は、前記読取手段にて前記外部ＩＣタグから前記認証情報の読み取りに必要な時間に基づいて予め設定された時間である、
ことを特徴とする請求項４記載の携帯型電子機器。
【請求項６】
前記停止制御手段は、前記読取手段にて前記外部ＩＣタグから前記認証情報を読み取った後の一定時間経過後に作動する、
ことを特徴とする請求項１，２又は３記載の携帯型電子機器。
【請求項７】
前記認証手段による認証が成功した場合に携帯型電子機器自体に設定されている所定の機能のロック状態を解除するロック解除手段を備えた、
ことを特徴とする請求項１，２，３，４，５又は６記載の携帯型電子機器。
【請求項８】
前記起動停止制御手段は、前記近距離無線通信手段の電源をオン／オフすることにより起動／停止を制御する、
ことを特徴とする請求項１，２，３，４，５，６又は７記載の携帯型電子機器。
【請求項９】
前記近距離無線通信手段にて送受信可能な所定の情報を記憶したＩＣタグを備えた、ことを特徴とする請求項１，２，３，４，５，６，７又は８記載の携帯型電子機器。
【請求項１０】
請求項１乃至９記載の携帯型電子機器と、前記外部ＩＣタグが装備されたＩＣカードと、を備えたことを特徴とする認証ユニット。
【請求項１１】
非接触型近距離通信手段を備えた携帯型電子機器にて認証を行う方法であって、
前記近距離無線通信手段を介して外部ＩＣタグから認証情報の読み取りを実行する読取工程と、
前記読取手段にて読み取った前記認証情報と、携帯型電子機器内に記憶された認証対象情報とを照合する認証工程と、を有し、
少なくとも前記読取工程の後に、前記近距離無線通信手段を停止させる停止制御工程を有する、
ことを特徴とする携帯型電子機器による認証方法。
【請求項１２】
前記読取工程の前に、前記近距離無線通信手段が停止状態である場合に当該近距離無線通信手段を起動させる起動制御工程を有する、
ことを特徴とする請求項１１記載の携帯型電子機器による認証方法。
【請求項１３】
前記起動制御工程は、前記携帯型電子機器に対して前記近距離無線通信手段の起動指令が入力されたときに作動する、
ことを特徴とする請求項１２記載の携帯型電子機器による認証方法。
【請求項１４】
前記停止制御工程は、前記起動制御工程にて前記近距離無線通信手段が起動された後の一定時間経過後に作動する、
ことを特徴とする請求項１２又は１３記載の携帯型電子機器による認証方法。
【請求項１５】
請求項１４記載の前記一定時間は、前記読取工程にて前記外部ＩＣタグから前記認証情報の読み取りに必要な時間に基づいて予め設定された時間である、
ことを特徴とする請求項１４記載の携帯型電子機器による認証方法。
【請求項１６】
前記停止制御工程は、前記読取工程にて前記外部ＩＣタグから前記認証情報を読み取った後の一定時間経過後に作動する、
ことを特徴とする請求項１１，１２，１３，１４又は１５記載の携帯型電子機器による認証方法。
【請求項１７】
前記認証工程の後に、当該認証工程にて認証が成功した場合に携帯型電子機器自体に設定されている所定の機能のロック状態を解除するロック解除工程を有する、
ことを特徴とする請求項１１，１２，１３，１４，１５又は１６記載の携帯型電子機器による認証方法。
【請求項１８】
非接触型近距離通信手段を備えた携帯型電子機器に、
前記近距離無線通信手段を介して外部ＩＣタグから認証情報の読み取りを実行する読取工程と、
前記読取手段にて読み取った前記認証情報と前記携帯型電子機器内に記憶された認証対象情報とを照合する認証工程と、
少なくとも前記読取工程の後に、前記近距離無線通信手段を停止させる停止制御工程と、
を実行させるためのプログラム。
【請求項１９】
前記携帯型電子機器に、
前記認証工程の後に、当該認証工程にて認証が成功した場合に携帯型電子機器自体に設定されている所定の機能のロック状態を解除するロック解除工程、
を実行させるための請求項１８記載のプログラム。
【発明の詳細な説明】
【技術分野】
【０００１】
本発明は、携帯型電子機器にかかり、特に、近距離無線通信手段を備え外部ＩＣタグと通信可能な携帯型電子機器に関する。
【背景技術】
【０００２】
従来より、不揮発メモリと無線通信チップとを備えた非接触型ＩＣカード（Felica（登録商標））が開発されており、プリペイドＩＣカード（Suica（登録商標）、Edy（登録商標）など）として利用されている。また、この非接触型ＩＣカードは、近年では携帯電話機にも搭載されており、外部のリーダ／ライタ装置に携帯電話機をかざすことで、携帯電話機を切符や財布代わりに利用することができると共に、クレジットカードや社員証などへの適用も可能となっている。
【０００３】
さらに、近年の携帯電話機には、上記ＩＣカード機能の他にリーダ／ライタ機能も合わせて装備可能であり、携帯電話機にて他の外部ＩＣカードなどと近距離無線通信が可能となり、さらなる適用の幅が広がっている。
【０００４】
一方で、上述したＩＣカード機能によって提供されるサービスは、個人情報や課金に関わるものも多く、ＩＣカード機能をロックする技術が必要とされる。ロック機能としては、従来より、暗証番号などで携帯電話機自体の操作をロックすることが行われていた。例えば、電源ＯＮ／ＯＦＦ、緊急呼発信など限られた機能以外の機能が使用できなくなるオールロック、メールが表示できなくなるメールセキュリティ設定などである。また、ＩＣカード機能のみをロックする技術としては、携帯電話機内のFeliCa（登録商標）サービスを提供するＩＣ（Faver）の電源をＯＦＦすることにより実現していた。
【０００５】
逆に、上述したロック機能を解除する技術としては、例えば、上述したオールロックやメールセキュリティ設定の解除画面において、暗証番号を入力するという操作が必要になる。また、下記特許文献１に開示されているように、簡単な操作の後にあらかじめFeliCa IDmを登録しておいた別の外部ＩＣカードをかざし、当該ＩＣカードの固有データであるFeliCa IDmを照合することにより、ロック解除を実現する。これにより、カードが手元になければロック解除ができないため不正なロック解除を防止することができ、また、カードが手元にあれば暗証番号入力の手間が省けるという点で便利な機能である。そして、上述したロック解除を行うための認証は、ＩＣカード認証機能として利用することができる。
【０００６】
【特許文献１】特開２００４−５４３０５号公報
【発明の開示】
【発明が解決しようとする課題】
【０００７】
しかしながら、上述したＩＣカードの認証機能は、以下のような不都合があった。つまり、ＩＣカードロック機能中は、Faverの電源をＯＦＦにしており、外部ＩＣカードのFeliCa IDmを読み出すことができないが、認証を実施するためにはFaverの電源をＯＮにしなければならず、Faverの電源をONすると、ICカード機能は自動で動作可能状態となってしまい停止することができない。そのため、ユーザによってＩＣカード機能をロック（停止）している状態であるにも関わらず、ＩＣカード機能を使用できてしまい、セキュリティ性が低下する、という問題があった。
【０００８】
一方で、上述したような外部ＩＣカードを用いてロック解除を行うことの必要性は依然として高い。例えば、携帯電話機のＩＣカード機能に、定期券のサービスとクレジットカードのサービスを登録していた場合、携帯電話機を紛失した場合を考慮してＩＣカード機能はロック状態と設定したいが、定期券のように頻繁に使用するサービスではロック解除の操作が面倒となりうる。このような場合に、簡単な操作の後に外部ＩＣカードをかざすだけでロックを解除ができるとすると利便性が高まる。
【０００９】
このため、本発明では、上記従来例の有する不都合を改善し、特に、ＩＣカード機能のセキュリティ性を確保しつつ、ユーザにとって利便性の高い携帯型電子機器を提供する、ことをその目的とする。
【課題を解決するための手段】
【００１０】
そこで、本発明の一形態である携帯型電子機器は、
近距離無線通信手段を備えた携帯型電子機器であって、
認証対象情報を記憶すると共に、
近距離無線通信手段の起動／停止を制御する起動停止制御手段と、
近距離無線通信手段を介して外部ＩＣタグから認証情報の読み取りを実行する読取手段と、
読取手段にて読み取った認証情報と記憶された認証対象情報とを照合する認証手段と、を備え、
起動停止制御手段は、読取手段の作動後に近距離無線通信手段を停止させる停止制御手段を備えた、
を備えたことを特徴としている。
【００１１】
このとき、例えば、起動停止制御手段は、近距離無線通信手段の電源をオン／オフすることにより起動／停止を制御する。また、携帯型電子機器は、近距離無線通信手段にて送受信可能な所定の情報を記憶したＩＣタグを備えた、ことを特徴としている。
【００１２】
上記発明によると、携帯型電子機器に外部ＩＣタグを近接させると、近距離無線通信手段にて外部ＩＣタグから認証情報が読み取られ、この認証情報と機器に記憶された認証対象情報との認証が行われる。そして、読取動作後には、読み取りの可否を問わず、近距離無線通信手段が停止される。従って、携帯型電子機器による外部ＩＣタグの認証機能を実現してかかる認証結果に応じた所定の処理を実現することができ、また、認証処理後に近距離無線通信手段が起動したままの状態となることを防止し、近距離無線通信手段にて装備されたＩＣタグなどに記憶された重要な情報の流出を抑制することができる。その結果、ユーザの利便性とセキュリティの向上を図ることができる。
【００１３】
また、起動停止制御手段は、読取手段の作動前に、近距離無線通信手段が停止状態である場合に当該近距離無線通信手段を起動させる起動制御手段を備えた、ことを特徴としている。このとき、起動制御手段は、携帯型電子機器に対して近距離無線通信手段の起動指令が入力されたときに作動する、ことを特徴としている。
【００１４】
このように、特に、近距離無線通信手段が起動していなかった場合には、起動指令の入力があったときに近距離無線通信手段を起動させ、外部ＩＣタグから認証情報の読み取り、及び、認証を行い、停止させる。従って、認証が必要なときに近距離無線通信手段を短時間のみ起動させて認証を行うことができ、利便性及びセキュリティの向上を図ることができる。
【００１５】
また、停止制御手段は、起動制御手段による近距離無線通信手段の起動後の一定時間経過後に作動する、ことを特徴としている。そして、上記一定時間は、読取手段にて外部ＩＣタグから認証情報の読み取りに必要な時間に基づいて予め設定された時間である、ことを特徴としている。また、停止制御手段は、読取手段にて外部ＩＣタグから認証情報を読み取った後の一定時間経過後に作動する、ことを特徴としている。
【００１６】
これにより、近距離無線通信手段が起動した後の一定時間経過後、例えば、読取手段にて読取処理に必要とされる予め設定された時間が経過した後や、読み取った後に、近距離無線通信手段が起動され、上述した読み取り処理及び認証処理が実行される。従って、極めて短時間に近距離無線通信手段が起動されるだけであるため、他の情報の流出を抑制することができ、さらなるセキュリティ性の向上を図ることができる。
【００１７】
さらに、本発明では、認証手段による認証が成功した場合に携帯型電子機器自体に設定されている所定の機能のロック状態を解除するロック解除手段を備えた、ことを特徴としている。これにより、外部ＩＣタグと近接させて上述したように認証させることで、電子機器自体のキー操作ロックやＩＣカード機能ロックなどの機器に設定されているロック状態を解除することができる。従って、上述したように、セキュリティ性を確保しつつ、簡易な操作でロック状態を解除することができ、ユーザの利便性の向上を図ることができる。なお、上記外部ＩＣタグが装備されたＩＣカードを、上記携帯型電子機器と合わせて認証ユニットとして携帯することで、上記ロック解除が容易となり、ユーザのさらなる利便性の向上を図ることができる。
【００１８】
また、本発明の他の形態である認証方法は、
非接触型近距離通信手段を備えた携帯型電子機器にて認証を行う方法であって、
近距離無線通信手段を介して外部ＩＣタグから認証情報の読み取りを実行する読取工程と、
読取手段にて読み取った認証情報と、携帯型電子機器内に記憶された認証対象情報とを照合する認証工程と、を有し、
少なくとも読取工程の後に、近距離無線通信手段を停止させる停止制御工程を有する、
ことを特徴としている。
【００１９】
そして、読取工程の前に、近距離無線通信手段が停止状態である場合に当該近距離無線通信手段を起動させる起動制御工程を有する、ことを特徴としている。このとき、起動制御工程は、携帯型電子機器に対して近距離無線通信手段の起動指令が入力されたときに作動する、ことを特徴としている。また、停止制御工程は、起動制御工程にて近距離無線通信手段が起動された後の一定時間経過後に作動する、ことを特徴としている。そして、上記一定時間は、例えば、読取工程にて外部ＩＣタグから認証情報の読み取りに必要な時間に基づいて予め設定された時間である。また、停止制御工程は、読取工程にて外部ＩＣタグから認証情報を読み取った後の一定時間経過後に作動する、ことを特徴としている。さらに、認証工程の後に、当該認証工程にて認証が成功した場合に携帯型電子機器自体に設定されている所定の機能のロック状態を解除するロック解除工程を有する、ことを特徴としている。
【００２０】
また、本発明の他の形態であるプログラムは、
非接触型近距離通信手段を備えた携帯型電子機器に、
近距離無線通信手段を介して外部ＩＣタグから認証情報の読み取りを実行する読取工程と、
読取手段にて読み取った認証情報と携帯型電子機器内に記憶された認証対象情報とを照合する認証工程と、
少なくとも読取工程の後に、近距離無線通信手段を停止させる停止制御工程と、
を実行させる、ことを特徴としている。
【００２１】
そして、上記プログラムは、さらに、携帯型電子機器に、認証工程の後に、当該認証工程にて認証が成功した場合に携帯型電子機器自体に設定されている所定の機能のロック状態を解除するロック解除工程、を実行させる、ことを特徴としている。
【００２２】
上述した構成の方法及びプログラムの発明であっても、上記携帯型電子機器と同様に作用するため、上述した本発明の目的を達成することができる。
【発明の効果】
【００２３】
本発明は、以上のように構成され機能するので、これによると、携帯型電子機器による外部ＩＣタグの認証機能を実現してかかる認証結果に応じた所定の処理を実現することができると共に、認証処理後に近距離無線通信手段が起動したままの状態となることを防止し、近距離無線通信手段にて携帯型電子機器内に記憶された重要な情報の流出を抑制することができる。従って、ユーザの利便性とセキュリティの向上を図ることができる、という従来にない優れた効果を有する。
【発明を実施するための最良の形態】
【００２４】
本発明は、携帯型電子機器にて、近距離無線通信手段を利用して外部ＩＣタグの認証を実現すると共に、この通信時に、携帯型電子機器からの情報の流出を抑制するという点に特徴を有する。以下、実施例では、携帯型電子機器の一例として携帯電話機を挙げて説明するが、近距離無線通信手段を備えていれば、ＰＤＡやテレビゲーム機、ポータブルオーディオプレーヤーなど他の携帯型電子機器であってもよい。また、実施例では、携帯電話機には、ＩＣカード機能とリーダライタ機能を備えたＦｅｌｉＣａ（登録商標）を搭載している場合を例示するが、同様の機能を装備していればよい。
【実施例１】
【００２５】
本発明の第１の実施例を、図１乃至図４を参照して説明する。図１乃至図２は、携帯電話機の構成を示すブロック図であり、図３乃至図４は、携帯電話機の動作を示すフローチャートである。
【００２６】
［構成］
本実施例における携帯電話機１は、無線通信による通話が可能な一般的な携帯電話機であり、電話機１全体の動作を制御する制御装置２と、種々の情報を記憶する記憶装置５と、ユーザが操作指令を入力するための操作部６と、を備えており、その他にも図示しないディスプレイなどを備えている。
【００２７】
また、この携帯電話機１は、不揮発メモリと無線通信チップとを備えた非接触型のＩＣカード部３１（例えば、Felica（登録商標）と呼ばれる）を有し、外部のリーダ／ライタ装置に携帯電話機をかざすことで、携帯電話機を切符や財布代わりに利用することができる。また、この携帯電話機１は、さらに、リーダ／ライタ部３２（近距離無線通信手段）も合わせて装備されており、他の外部ＩＣカードなどと近距離無線通信が可能である。そして、上記ＩＣカード部３１とリーダ／ライタ部３２とは、図１に示すＦａｖｅｒ３に収容されて装備されている。なお、このＦａｖｅｒ３は、制御装置２にて電源がオン／オフ制御され、その起動／停止状態が制御される。例えば、ユーザがセキュリティを重視して、Ｆａｖｅｒ３を停止させ、ＩＣカード機能が利用できない状態（ＩＣカードロック状態）にすることができる。
【００２８】
また、本実施例における携帯電話機１は、上記Ｆａｖｅｒ３を用いて外部ＩＣカード８を認証する機能を備えている。その詳細については後述するが、例えば、図１に示すように、ユーザが所有する社員証などのＩＣタグ８１が装備された外部ＩＣカード８から、カード固有の識別情報（FeliCa IDm）を認証情報として読み取って認証する機能を有する。そして、携帯電話機１にて、単に認証のみを行ってもよく、後述するように、携帯電話機１のキーロックを解除するための条件として認証結果を利用してもよい。なお、カード認証時に必要となる照合するデータは、認証対象情報として記憶装置５のFeliCa IDm記憶部５１に予め記憶される。つまり、上記外部ＩＣカード８に格納されている固有の識別情報は、ユーザにて携帯電話機１にて読み取られ、FeliCa IDm記憶部５１に記憶された状態になっている。
【００２９】
続いて、携帯電話機１の制御装置２の構成について説明する。制御装置２には、所定のプログラムが組み込まれることによって、図２に示すように、操作受付処理部２１と、カードロック判定処理部２２と、Ｆａｖｅｒ電源制御処理部２３と、認証処理部２４と、ロック設定制御処理部２５と、が構築されている。以下、各処理部２１〜２５及び他の構成について説明する。
【００３０】
操作受付処理部２１は、ユーザにて操作部６から入力された操作指令を受け付ける。そして、この操作指令に応じて、制御装置２にて携帯電話機１の種々の動作制御が実行される。例えば、上述したようにＦａｖｅｒ３の停止指令を受け付けると、Ｆａｖｅｒ３の電源をオフにしてＩＣカード部３１を利用不可（ＩＣカードロック状態）にし、記憶装置５内に形成されたＩＣカードロック設定記憶部５２に、「カードロック設定状態」であることを記録する。また、操作受付処理部２１は、外部ＩＣカード８の認証を行う操作指令を受け付ける。例えば、操作部６に形成された認証ボタンが押下されると、認証開始指令として受け付けて、カードロック判定処理部２２に通知する。
【００３１】
カードロック判定処理部２２は、認証指令を受けると、ＩＣカードロック設定記憶部５２内のカードロック設定状態を表す情報を読み取り、現在、ＩＣカードロック中か否か、つまり、Ｆａｖｅｒ３の電源がオン状態かオフ状態かを調べる。そして、その結果をＦａｖｅｒ電源制御処理部２３に通知する。
【００３２】
Ｆａｖｅｒ電源制御処理部２３（起動停止制御手段）は、認証開始後にカードロック判定処理部２２からＩＣカードロック中（停止状態）である旨の判定結果を受け付けると、Ｆａｖｅｒ３の電源をオンにし、リーダ／ライタ部３２が作動可能なよう起動させ（起動制御手段）、認証処理部２４に認証を行うよう指示する。同時に、携帯電話機１に装備されたタイマ４を起動させる。一方、ＩＣカードロック中でない旨の通知を受けた場合には、Ｆａｖｅｒ３が起動状態であるため、そのまま認証処理部２４に認証を行うよう通知する。また、Ｆａｖｅｒ電源制御処理部２３は、上記タイマ４を起動させた後、一定時間が経過すると、Ｆａｖｅｒ３の電源をオフにして、リーダ／ライタ部３２を停止する（停止制御手段）。ここで、一度起動させたＦａｖｅｒ３の電源をオフにするまでのタイマ４に設定した一定時間は、後述する認証処理部２４にてリーダ／ライタ部３２を介して外部ＩＣカード８に対する読取処理を実行可能な時間に設定されている。例えば、０．５秒といった極めて短時間に設定されており、かかる時間が経過すると、外部ＩＣカード８からの読み取り成功の有無にかかわらず、Ｆａｖｅｒ３の電源がオフにされる。さらに、Ｆａｖｅｒ電源制御処理部２３は、後述する認証処理部２２にてＩＣカードの認証が終了した後に、ＩＣカードロック設定がロック中である場合には、Ｆａｖｅｒ３の電源をオフにするよう作動する。
【００３３】
認証処理部２４（読取手段、認証手段）は、Ｆａｖｅｒ電源制御処理部２３から認証指示を受け付けると、上記Ｆａｖｅｒ電源制御処理部２３にて電源がオンにされた、あるいは、オンにされたままのＦａｖｅｒ３に装備されたリーダ／ライタ部３２にて、外部ＩＣカード８に対して認証情報（FeliCa IDm）の読み取りを実行する。そして、読み取りが成功し、FeliCa IDmを検出すると、FeliCa IDm記憶部５１に記憶されている認証対象情報であるFeliCa IDmと照合し、一致した場合にＩＣカード認証成功と判断する。一方、一致しなければＩＣカード認証失敗と判断する。そして、認証結果をロック設定制御処理部２５に通知する。また、認証処理部２４は、認証が終了すると、その旨をＦａｖｅｒ電源制御処理部２３に通知する。なお、認証処理部２４は、上記Ｆａｖｅｒ電源制御処理部２３から認証指示を受けた場合には、認証情報の読み取り処理のみを実行するだけであって、他の情報、例えば、ＩＣカード部３１に記憶されている情報の送信は行わない。
【００３４】
ロック設定制御処理部２５（ロック解除手段）は、認証処理部２４から認証成功の通知を受けたときに、携帯電話機１自体に設定されている所定の機能のロック状態を解除するよう作動する。例えば、キー操作を無効にするキーロックが設定されている場合に、ＩＣカードの認証成功を受けてキーロックを解除する。なお、ロック状態を解除可能な機能は上述したキーロックに限定されず、例えば、ＩＣカード部３１によるリーダ／ライタ部３１を用いないデータ通信機能のロック状態を解除してもよい。
【００３５】
［動作］
次に、上述した携帯電話機１の動作を、図３乃至図４のフローチャートを参照して説明する。図３は、携帯電話機１による外部ＩＣカード認証を利用してキーロック解除を行うときの動作を示し、図４は、外部ＩＣカード認証時の詳細な動作を示す。
【００３６】
まず、携帯電話機１には、ユーザ自身が所有する外部ＩＣカード８に記憶された固有の識別情報が、FeliCa IDm記憶部５１に記憶されている。なお、識別情報は、外部ＩＣカード８から読み取って携帯電話機１に登録してもよく、あるいは、予め携帯電話機１に実装されたＩＣカード部３１に記憶された識別情報と同一の情報が記憶された外部ＩＣカード８がユーザに配布されてもよい。これにより、ユーザは、同一情報あるいは対となる情報（認証情報及び認証対象情報）がそれぞれ記憶された携帯電話機１と外部ＩＣカード８とから成る認証ユニットを保有していることとなる。
【００３７】
そして、携帯電話機１がキーロック状態である場合であって、これを解除する際には、ユーザは、認証ボタンを押下して認証開始操作を行い、携帯電話機１が認証開始操作を受け付ける（図３のステップＳ１、図４のＳ１１）。このとき、ユーザは、外部ＩＣカード８を携帯電話機１のリーダ／ライタ部３２が装備されている近辺に位置させた状態で操作する。なお、認証ボタンは、キーロック対象とはなっていないこととする。
【００３８】
続いて、認証開始指令を受け付けた携帯電話機１は、ＩＣカードロック設定記憶部５２から現在のＩＣカードロック設定を読み取る（図４のステップＳ１２）。そして、ＩＣカードロック中である場合には（図４のステップＳ１３：Ｙに進む）、リーダ／ライタ部３２が停止状態であるため、Ｆａｖｅｒ３の電源をオンにして（図３のステップＳ２、図４のステップＳ１５）、リーダ／ライタ機能を起動させる（図４のステップＳ１７、起動制御工程）と同時に、タイマを起動させる（図４のステップＳ１６）。そして、起動させたリーダ／ライタ部３２にて読み取り動作を実行する（図３のステップＳ３、図４のステップＳ１８、読取工程）。このとき、ユーザは外部ＩＣカード８を携帯電話機１に近接させており、これにより外部ＩＣカード８がＦａｖｅｒ３のリーダ／ライタ部３２の通信範囲に位置する場合には、外部ＩＣカード８から認証情報であるFeliCa IDmを読み取ることができる（図４のステップＳ１８：Ｙに進む）。このとき、リーダ／ライタ部３２にてFeliCa IDmを読み取れない場合にであって（図４のステップＳ１８：Ｎに進む）、タイマ４による計測に基づいて一定時間が経過すると（図４のステップＳ１９：Ｙに進む）、Ｆａｖｅｒの電源がオフにされる（図４のステップＳ２０、停止制御工程）。これにより、外部ＩＣカード８に対する読み取り作動時の短時間のみ、Ｆａｖｅｒ３の電源がオンとなりリーダ／ライタ部３２が起動した状態となっているだけであるため、ＩＣカード部３１など携帯電話機１から他の情報が流出することを抑制することができ、当該ＩＣカード部３１などによるサービスが不正に使用されることを抑制することができる。
【００３９】
そして、上述したように、リーダ／ライタ部３２にて外部ＩＣカードからFeliCa IDmを取得すると（図３のステップＳ３、図４のステップＳ１３：Ｙに進む）、携帯電話機１は、この読み取ったFeliCa IDmと、FeliCa IDm記憶部５１に予め記憶されている認証対象情報であるFeliCa IDmとの認証を行う（図３のステップＳ４）。具体的には、読み取った情報と記憶されている情報とが一致するか否かを調べる（図４のステップＳ２２、認証工程）。そして、一致する場合には（図４のステップＳ２２：Ｙに進む）、ＩＣカード認証成功と判断する（図４のステップＳ２３）。その後、認証成功の結果に応じて、携帯電話機１は、キーロック状態を解除する（図３のステップＳ５、ロック解除工程）。これにより、簡易な操作、かつ、セキュリティの高い方法にて、キーロック解除を実行することができる。一方、読み取った情報と記憶されている情報とが一致しない場合には（図４のステップＳ２２：Ｎに進む）、ＩＣカード認証失敗と判断し（図４のステップＳ２４）、キーロックはロック状態のままである。
【００４０】
なお、認証開始時にＩＣカードロック状態がロック中でない場合には（図３のステップＳ１３：Ｎに進む）、Ｆａｖｅｒ３の電源がオンになっているため、そのままリーダ／ライタ部３２を起動して（図４のステップＳ１４）、外部ＩＣカード８からFeliCa IDmの読み取りを行い（図４のステップＳ２１：Ｙに進む）、上述同様に認証を行う（図４のステップＳ２２，Ｓ２３，Ｓ２４）。
【００４１】
その後は、認証開始時のＩＣカードロック状態に戻す。つまり、はじめにＦａｖｅｒ３の電源がオフであった場合には（図４のステップＳ２５：Ｙに進む）、Ｆａｖｅｒ電源をオフにし（図４のステップＳ２６、図３のステップＳ６、停止制御工程）、Ｆａｖｅｒ３の電源がオンであった場合には（図４のステップＳ２５：Ｎに進む）、Ｆａｖｅｒ電源をオンのままとする。
【００４２】
以上のように、本実施例における携帯電話機１では、リーダ／ライタ部３２の電源がオフであってＩＣカードロック機能設定中においても、簡易な操作でリーダ／ライタ部３２を短時間のみ作動させ、ＩＣカード認証機能を使用することができる。従って、セキュリティを高く維持しつつ、ＩＣカード認証を実現でき、ユーザの利便性の向上を図ることができる。そして、例えば、ＩＣカード認証機能を、キーロックなどのロック状態を解除することにも利用することができ、ユーザのさらなる利便性の向上を図ることができる。
【００４３】
ここで、上記では、図４のステップＳ２５に示すように、ＩＣカードの認証後にはじめにＩＣカードロック中で無かった場合には（図４のステップＳ２５：Ｎに進む）、そのままＦａｖｅｒ３の電源がオンになった状態のままにすると説明したが、認証後にＦａｖｅｒ３の電源をオフにしてもよい。つまり、カード認証が作動するたびにＦａｖｅｒ３の電源をオフにすることで、ＩＣカードロック設定を忘れた場合であっても自動的にロックがかかるようになり、セキュリティの向上を図ることができる。
【００４４】
また、上記では、ステップＳ１５〜Ｓ２０に示すように、Ｆａｖｅｒ３の電源がオンになってから一定時間が経過した場合にＦａｖｅｒ３の電源をオフにする場合を説明したが、タイマ作動開始のタイミングは任意である。例えば、リーダ／ライタ部３２を作動させて、外部ＩＣカード８から認証情報を読み取った後にタイマを起動させ、認証処理の実行時間に基づいて電源をオフにするタイムアウト時間を設定してもよい。具体的には、外部ＩＣカード８から認証情報を読み取った直後にＦａｖｅｒ３の電源をオフにするよう設定してもよい。
【００４５】
さらに、上記では、認証結果に応じてキーロックのロック状態を解除する場合を例示したが、例えば、認証が成功した場合に、ＩＣカード機能自体のロックを一定時間解除するよう作動してもよい。つまり、認証が成功した直後にＦａｖｅｒ電源をオフにせず、一定時間経過後にオフにしてもよい。あるいは、リーダ／ライタ部３２のみを停止状態とし、ＩＣカード部３１のみロック状態を解除してもよい。これにより、上述した外部ＩＣカード８の認証をトリガーとして、携帯電話機１に装備された定期券としてのＩＣカード機能のみを作動させることもできる。
【産業上の利用可能性】
【００４６】
本発明は、ＩＣカード機能とリーダ／ライタ機能とが装備された携帯電話機などの携帯型電子機器に利用することができ、産業上の利用可能性を有する。
【図面の簡単な説明】
【００４７】
【図１】携帯電話機の構成を示すブロック図である。
【図２】携帯電話機の制御装置の構成を示す機能ブロック図である。
【図３】携帯電話機の動作を示すフローチャートである。
【図４】携帯電話機の詳細な認証動作を示すフローチャートである。
【符号の説明】
【００４８】
１  携帯電話機
２  制御装置
３  Ｆａｖｅｒ
４  タイマ
５  記憶装置
６  操作部
８  外部ＩＣカード
２１  操作受付処理部
２２  カードロック判定処理部
２３  Ｆａｖｅｒ電源制御処理部
２４  認証処理部
２５  ロック設定制御処理部
３１  ＩＣカード部
３２  リーダ／来タブ
５１  FeliCa IDm記憶部
５２  ＩＣカードロック設定記憶部
【図１】
2008112331.tif 000003
【図２】
2008112331.tif 000004
【図３】
2008112331.tif 000005
【図４】
2008112331.tif 000006